(57)【特許請求の範囲】
【請求項１】
洗浄空間を取り囲む側壁部の下部に配設された空気吸引口から、同じく前記側壁部の下部に配役された空気供給口に亘って逆Ｕ字状に形成された通風経路を経て、前記洗浄空間内の空気を循環させる通風手段と、前記通風経路を経て循環される空気の除湿を行う除湿部とを備え、食器類を乾燥させる乾燥工程において、前記洗浄空間内の空気を前記空気吸引口から吸引し、前記除湿部に導いて除湿した後、前記通風経路を経て前記洗浄空間に戻し、前記洗浄空間に戻した除湿後の空気をヒータで加熱することにより、前記洗浄空間内の前記食器類を乾燥するように構成され、
前記通風手段および前記除湿部は、前記空気吸引口の配設位置よりも高い位置に配設され、かつ、
前記除湿部は、前記通風経路に所定の間隔をおいて水平方向に並置され、前記空気吸引口から吸引された前記洗浄空間からの空気を接触させることにより、空気中の水分を凝縮させる複数の伝熱体を有する凝縮部と、前記凝縮部の上方に配設され、前記凝縮部を構成する伝熱体を冷却するための除湿用冷却水を、下方の前記凝縮部を構成する複数の伝熱体のそれぞれに供給する除湿用冷却水供給手段とを備えており、
前記通風手段は、前記通風経路における前記除湿部よりも、通風方向における下流側に位置しているとともに、前記通風手段に水が浸入したとき、または、前記通風手段で結露水が発生したときに、前記浸入水または前記結露水が溜まる水滞留部を有している食器洗浄乾燥機において、
前記水滞留部には、溜まった前記浸入水または前記結露水を排出するための排水機構が設けられ、
前記通風手段が、送風用の羽根と該羽根を囲繞するファンケースとを具備する送風機により構成され、前記ファンケースの内部が前記水滞留部となっている場合において、前記ファンケースに前記排水機構として水抜き孔が設けられているとともに、
前記水抜き孔から排出される水を、前記空気供給口に導く排出経路を備えており、かつ、
前記洗浄槽の底部に水貯留用凹部が形成されており、
前記水貯留用凹部の水位が排水用設定水位であることを検出したときに、除湿用冷却水を外部に排出させる排水処理を実行するように構成されていること
を特徴とする食器洗浄乾燥機。
【発明の詳細な説明】
【技術分野】
【０００１】
本発明は、食器の洗浄、乾燥を行う食器洗浄乾燥機に関し、詳しくは、食器を乾燥させる工程において、洗浄空間内の空気を除湿しながら循環させることにより、多量の水分を含む空気を外部に排出することなく食器を乾燥させる機能を備えた食器洗浄乾燥機に関する。
【背景技術】
【０００２】
皿や茶碗等の食器類を洗浄、乾燥するのに使用される食器洗浄乾燥機の使用形態としては、洗浄空間内に洗浄対象物が収納され、洗浄空間内に備えられた洗浄ノズルから洗浄対象物に向けて洗浄水を噴出させことにより洗浄処理を行った後、洗浄ノズルからすすぎ水を噴出させてすすぎ処理を行い、その後に、洗浄対象物に乾燥用空気を通風して乾燥処理を行うという態様が、標準的なものである。
ただし、場合によっては手洗い済みなどの、洗浄を必要としない洗浄対象物に対して、すすぎ処理および乾燥処理を行うように使用されるなど、他の種々の使用形態で使用されることもある。
【０００３】
このような食器洗浄乾燥機において、通風経路を経て洗浄空間の空気を循環させる通風手段、通風経路を通して循環される空気を除湿する除湿部を備え、乾燥処理の工程で、洗浄空間の空気を空気吸引口から吸引し、除湿部において除湿した後、空気供給口から洗浄空間に戻すようにした循環式のものがある。
【０００４】
この循環式の食器洗浄乾燥機の場合、乾燥処理の際に、湿った空気が機外に排出されることがないため、使用者や、食器洗浄乾燥機が設置される台所などの設置エリアに存在する他の機器類に湿った空気が吹き付けられるというような不都合が解消され、快適な食器の洗浄、乾燥を行うことが可能になる。
【０００５】
このような食器洗浄乾燥機の一つとして、平面視で四角形状に形成された洗浄空間における４つの周壁部のうち、１つの周壁部の上部領域に、洗浄空間からの空気を吸引するための空気吸引口が形成されているとともに、上記周壁部における下側領域に洗浄空間へ空気を供給する空気供給口が形成されており、空気吸引口から空気供給口に亘る通風経路中に通風手段としての循環ファンおよび除湿部が設けられた食器洗浄乾燥機が提案されている（特許文献１参照）。
【０００６】
しかしながら、特許文献１の食器洗浄乾燥機においては、周壁部の上部領域に形成された空気吸引口に連なる吸入側の通風経路は、空気の流通方向に向かって、いくらかの上り勾配はつけられているが、空気吸引口が周壁部における上側領域に形成されているため、そこから先に向かっては、上りの傾斜を大きくとることができず、通風経路の上りの傾斜は小さくなる。その結果、通風経路の途中に配設される通風手段や除湿部は、空気吸引口に対していくらかは高い位置であるとしても、大きな高低差のない位置に設けざるを得なくなる。
【０００７】
このような従来の食器洗浄乾燥機においては、洗浄処理やすすぎ処理を実行する際に、洗浄ノズルから噴出される洗浄水やすすぎ水が洗浄対象物に吹き付けられると、洗浄対象物に付着した残菜類が洗浄対象物から洗い落とされ、水の勢いで飛散する。そして、飛散した残菜類の大部分は洗浄空間の底部の排水部に備えられた回収部にて回収されることになるが、飛散した残菜類の一部は、周壁部の上側領域に配設された空気吸引口から通風経路にまで達するものがある。
【０００８】
そして、上記従来の食器洗浄乾燥機では、通風経路の上りの傾斜がわずかで、通風手段や除湿部が、空気吸引口に対してそれほど高くない位置に配設されていることから、空気吸引口から通風経路に達した残菜類が通風経路を経て通風手段や除湿部にまで浸入する場合がある。
【０００９】
このようにして残菜類が通風経路に達したり、通風経路を経て通風手段や除湿部にまで浸入したりすると、
(ａ)残菜類により通風経路や通風手段が閉塞して、乾燥処理工程における通風手段による通風動作が妨げられる、
(ｂ)多量の残菜類が除湿部にまで浸入すると、除湿手段が閉塞して除湿処理に支障をきたす、
(ｃ)通風経路内に堆積する残菜類が腐敗して雑菌の繁殖や悪臭の発生を招く
というような望ましくない事態を引き起こすという問題点がある。
【先行技術文献】
【特許文献】
【００１０】
【特許文献１】特開平８−１３１３９１号公報
【発明の概要】
【発明が解決しようとする課題】
【００１１】
本発明は、上記の課題を解決するためになされたものであり、食器の乾燥工程で、湿度の高い空気を排出することなく食器を乾燥させることが可能で、かつ、残菜類による通風経路や除湿部などの閉塞、雑菌の繁殖や悪臭の発生などを抑制、防止することが可能な食器洗浄乾燥機を提供することを目的とする。
【課題を解決するための手段】
【００１２】
上記の目的を達成するために、本発明の食器洗浄乾燥機は、
洗浄空間を取り囲む側壁部の下部に配設された空気吸引口から、同じく前記側壁部の下部に配役された空気供給口に亘って逆Ｕ字状に形成された通風経路を経て、前記洗浄空間内の空気を循環させる通風手段と、前記通風経路を経て循環される空気の除湿を行う除湿部とを備え、食器類を乾燥させる乾燥工程において、前記洗浄空間内の空気を前記空気吸引口から吸引し、前記除湿部に導いて除湿した後、前記通風経路を経て前記洗浄空間に戻し、前記洗浄空間に戻した除湿後の空気をヒータで加熱することにより、前記洗浄空間内の前記食器類を乾燥するように構成され、
前記通風手段および前記除湿部は、前記空気吸引口の配設位置よりも高い位置に配設され、かつ、
前記除湿部は、前記通風経路に所定の間隔をおいて水平方向に並置され、前記空気吸引口から吸引された前記洗浄空間からの空気を接触させることにより、空気中の水分を凝縮させる複数の伝熱体を有する凝縮部と、前記凝縮部の上方に配設され、前記凝縮部を構成する伝熱体を冷却するための除湿用冷却水を、下方の前記凝縮部を構成する複数の伝熱体のそれぞれに供給する除湿用冷却水供給手段とを備えており、
前記通風手段は、前記通風経路における前記除湿部よりも、通風方向における下流側に位置しているとともに、前記通風手段に水が浸入したとき、または、前記通風手段で結露水が発生したときに、前記浸入水または前記結露水が溜まる水滞留部を有している食器洗浄乾燥機において、
前記水滞留部には、溜まった前記浸入水または前記結露水を排出するための排水機構が設けられ、
前記通風手段が、送風用の羽根と該羽根を囲繞するファンケースとを具備する送風機により構成され、前記ファンケースの内部が前記水滞留部となっている場合において、前記ファンケースに前記排水機構として水抜き孔が設けられているとともに、
前記水抜き孔から排出される水を、前記空気供給口に導く排出経路を備えており、かつ、
前記洗浄槽の底部に水貯留用凹部が形成されており、
前記水貯留用凹部の水位が排水用設定水位であることを検出したときに、除湿用冷却水を外部に排出させる排水処理を実行するように構成されていること
を特徴としている。
【発明の効果】
【００１３】
本発明の食器洗浄乾燥機は、上述のように、通風手段および除湿部が、空気吸引口の配設位置よりも高い位置に配設されており、除湿部が複数の伝熱体を有する凝縮部と、凝縮部を構成する伝熱体を冷却するための除湿用冷却水を供給する除湿用冷却水供給手段とを備え、通風手段は、通風経路における除湿部よりも、通風方向における下流側に位置しているとともに、通風手段に水が浸入したとき、または、通風手段で結露水が発生したときに、浸入水または結露水が溜まる水滞留部を有している食器洗浄乾燥機であって、水滞留部には、溜まった浸入水または結露水を排出するための排水機構が設けられている。
したがって、通風手段の上記水滞留部に溜まろうとする浸入水や結露水を、排水機構により確実に排出して、浸入水や結露水が上記水滞留部に滞留することによる通風手段の通風性能の低下を防止することができる。
【００１４】
また、通風手段が、送風用の羽根と該羽根を囲繞するファンケースとを具備する送風機により構成され、ファンケースの内部が水滞留部となっている場合において、ファンケースに排水機構として水抜き孔が設けられた構成とすることにより、通風性能の高い、送風用の羽根と該羽根を囲繞するファンケースとを具備する送風機を用いつつ、ファンケース内部に水が滞留することを確実に防止することが可能になり、本発明をさらに実効あらしめることができる。
【００１５】
さらに、水抜き孔から排出される水を、上述の空気供給口に導く排出経路を備えた構成とすることにより、水抜き孔から排出する浸入水や結露水が空気吸引口から吸引される洗浄空間内の空気中に再び蒸発し、通風手段において再び結露して結露水を発生させる悪循環が生じないようにすることができる。
【図面の簡単な説明】
【００１６】
【図１】本発明の実施例にかかる食器洗浄乾燥機の主要部の構成を示す斜視図である。
【図２】本発明の実施例にかかる食器洗浄乾燥機の側面断面図である。
【図３】本発明の実施例にかかる食器洗浄乾燥機の扉体の内側領域の概略構成を示す斜視図である。
【図４】本発明の実施例にかかる食器洗浄乾燥機の扉体の内側領域の概略構成を示す分解斜視図である。
【図５】本発明の実施例にかかる食器洗浄乾燥機において用いられている乾燥ユニットの構成を示す斜視図であって、前部側分割ケーシング部分を取り外した状態を示す図である。
【図６】本発明の実施例にかかる食器洗浄乾燥機において用いられている乾燥ユニットの構成を示す正面図である。
【図７】本発明の実施例にかかる食器洗浄乾燥機の動作を説明するための図である。
【図８】(ａ)は本発明の実施例にかかる食器洗浄乾燥機において用いられている分配ノズルにおける除湿用冷却水の流れ方を示す図、(ｂ)は分配ノズルに空気が溜まった状態を示す図である。
【図９】本発明の実施例にかかる食器洗浄乾燥機において用いられている分配ノズルの構成を示す分解斜視図である。
【図１０】本発明の実施例にかかる食器洗浄乾燥機において用いられている逆止弁を示す図であり、(ａ)は正面図、(ｂ)は断面図である。
【図１１】本発明の実施例にかかる食器洗浄乾燥機を構成する乾燥ユニットの特徴的な構成を示す斜視図である。
【発明を実施するための形態】
【００１７】
以下、本発明の実施例を示して、その特徴とするところをさらに詳しく説明する。
図１は本発明の実施例にかかる食器洗浄乾燥機の主要部の構成を示す斜視図、図２は側面断面図、図３は本発明の食器洗浄乾燥機の扉体の内側領域の概略構成を示す斜視図である。
【００１８】
この実施例の食器洗浄乾燥機は、引出し式の食器洗浄機であり、図１、図２、図３に示すように、前面部が開口された直方体形状の本体部１と、本体部１に対して、引出し移動および収納移動の各動作を自由に行うことができるような態様で配設された、平面視形状が略長方形の洗浄槽Ｄとを備えている。
【００１９】
洗浄槽Ｄは引出し部２を備えており、本体部１は引出部２を本体部１に対して移動可能に支持するスライド式レール機構（図示せず）を備えている。そして、引出し部２は、その大部分が本体部１の外方に露出するように引き出すことができるように構成されている。
【００２０】
また、本体部１には、この引出し部２を本体部１に収納した状態で洗浄槽Ｄの上面部を閉塞し、かつ、引出し部２を本体部１から引き出した状態で洗浄槽Ｄの上面部を開口させる内蓋部３が設けられており、洗浄槽Ｄの内部空間に、開閉自在な洗浄空間Ｑが確保されるように構成されている（図２参照）。
【００２１】
引出し部２の前面部には、本体部１の前面部の開口を開閉する扉体Ａが設けられ、その扉体Ａには、引出し部２を本体部１から引き出すときや、収納するときに把持するための把持部Ｂが設けられている。なお、詳述はしないが、把持部Ｂには、引出し部２を本体部１に収納するに伴って本体部１の係止部Ｐａに係合する係合手段Ｐが設けられており、この係合手段Ｐが係止部Ｐａに係合することにより、引出し部２を本体部１に収納した状態に保持するように構成されている。そして、係合手段Ｐは、引出し部２を本体部１から引き出すときに把持部Ｂを把持している手指で、係合を解除して係合状態を解除することができるように構成されている。さらに、扉体Ａには、運転のための各種操作を行う操作部ＳＳが設けられている。
また、この実施例の食器洗浄乾燥機においては、図７に示すように、洗浄槽Ｄに水を供給する給水路４および給水路４を開閉する給水弁４ａが設けられている。
【００２２】
引出し部２における洗浄槽Ｄの底部下方には、正転で洗浄ポンプとして機能し、かつ、逆転で排水ポンプとして機能する兼用ポンプ６が設けられている。また、洗浄槽Ｄの内部には、洗浄ノズル８や加熱手段としての電気式のヒータ９などが配置され、さらに、食器などの洗浄対象物を収納載置する洗浄かご１０が、洗浄槽Ｄの内部に着脱可能に装着されている。
【００２３】
兼用ポンプ６は、吸引管１１を介して洗浄槽Ｄの底部に形成された水貯留用凹部Ｓに接続されている。また、兼用ポンプ６には排水のための排水管１２が接続されている。
さらに、水貯留用凹部Ｓには、案内管１３を介して水位センサＪが接続されている。
なお、図２に示すように、本体部１の底部には、漏水受止め用のドレンパン１４が配備されており、特に図示しないが、このドレンパン１４には、受け止めた水の存否を検出する漏水センサが装備されている。
【００２４】
また、図２、図３、図４および図７に示すように、洗浄槽Ｄにおける４つの側壁部のうちの機体前面側、すなわち、引出し部前面側に相当する前側壁部Ｄｆには、乾燥ユニットＫが取り付けられている。
【００２５】
つまり、前側壁部Ｄｆには、図４などに示すように、乾燥ユニットＫからの空気を洗浄空間Ｑに供給する空気供給口２１、および、乾燥ユニットＫが洗浄空間Ｑ内の空気を吸引する空気吸引口２２が、下方側で左右両側に離れた位置に形成されている。具体的には、空気供給口２１および空気吸引口２２は、洗浄かご１０よりも下方側に位置するように形成されるものであり、この実施例では、空気供給口２１を右側に、空気吸引口２２を左側に位置させている。
【００２６】
乾燥ユニットＫは、図３〜図７などに示すように、洗浄槽Ｄの前側壁部Ｄｆに止着されるケーシング１５の内部に、空気吸引口２２から空気供給口２１に亘る通風経路Ｆを経て洗浄空間Ｑの空気を循環させる循環ファン（通風手段）２３、および、通風経路Ｆを通して循環される空気を除湿する除湿部Ｇを備えている。循環ファン（通風手段）２３としては、シロッコファンが用いられている。
【００２７】
空気吸引口２２から吸引された洗浄空間Ｑ内の空気は、後述のように、除湿部Ｇにおいて除湿されることによりその絶対湿度は低下するものの、除湿部を出た空気は温度が低く、露点付近である（相対湿度は１００％付近である）ことから、結露しやすい状態にある。そして、循環ファン（通風手段）２３のファンケース３５内部で結露水が発生し、ファンケース３５の内部（水滞留部）に滞留すると、シロッコファンの羽根（羽根車）３８の回転や、ファンケース３５内部における空気の流れに乱れや歪みが生じ、循環ファン２３の通風性能が低下するという不都合が発生する。
【００２８】
これに対し、本発明の食器洗浄乾燥機においては、図１１に示すように循環ファン（通風手段）２３を構成するファンケース３５の内部における、水滞留部３７となる部分の最も下側に位置する箇所に、ファンケース３５内部で発生する結露水を排出する水抜き孔３５ａを設けている。
【００２９】
さらに、図１１に示すように、水抜き孔３５ａから排出された結露水が落下する箇所を、通風経路Ｆにおける下降経路部分ｆ２に面するようにしているとともに、水抜き孔３５ａから落下した結露水を空気供給口２１に導く傾斜（排出経路）３６を設けるようにしている。
【００３０】
そして、この傾斜（排出経路）３６を経て、結露水が確実に空気供給口２１に導かれることにより、水抜き孔３５ａから排出する結露水が空気吸引口２２から吸引される洗浄空間Ｑ内の空気中に蒸発し、通風手段２３内部で再び結露するという悪循環が確実に防止されることになる。
【００３１】
通風経路Ｆは、図７に示すように、空気吸引口２２から上方側に伸びる上昇経路部分ｆ１とその上昇経路部分ｆ１の上端部から空気供給口２１に向けて下方側に伸びる下降経路部分ｆ２とからなる逆Ｕ字状に形成されており、上昇経路部分ｆ１に除湿部Ｇが配設され、下降経路部分ｆ２に循環ファン（通風手段）２３が配設されている。
【００３２】
前記ケーシング１５は、前部側分割ケーシング部分１５Ａと、後部側分割ケーシング部分１５Ｂとからなり、それらを接続することで乾燥ユニットＫ全体を囲うことができるように構成されている。図５は、前部側分割ケーシング部分１５Ａを取り外した状態を示している。
【００３３】
除湿部Ｇは、図５〜図７などに示すように、通風経路Ｆを構成する上昇経路部分ｆ１に、所定の間隔をおいて水平方向に並置され、空気吸引口２２から吸引された、洗浄空間Ｑからの空気を接触させることにより空気中の水分を凝縮させる、複数（この実施例では５枚）の平板状の伝熱体２４ａを備えてなる凝縮部２４と、上昇経路部分ｆ１内の、凝縮部２４の上方に配設され、凝縮部２４を構成する伝熱体２４ａを冷却するための除湿用冷却水を、複数の伝熱体２４ａに供給する除湿用冷却水供給手段２５とを備えており、通風経路をＦを通過する水分を多量に含む空気は、凝縮部２４の伝熱体２４ａおよび伝熱体２４ａの表面の除湿用冷却水と接触し、冷却されて水分が凝縮することにより除湿された後、通風経路Ｆを通過し、空気供給口２１から洗浄空間Ｑに戻るように構成されている。
【００３４】
平板状の伝熱体２４ａは、図５、図６に示すように、横方向の幅が上昇経路部分ｆ１のほぼ横幅全幅にわたり、かつ縦方向の幅が上昇経路部分ｆ１に沿って、所定の領域にわたる状態で縦向きの姿勢で配設されている。また、伝熱体２４ａは、板厚方向に沿って所定の間隔をおいて所定の位置に保持されるように、左右両側において、複数の保持部材３０により間隔を確保しつつ、ケーシング１５に保持、固定されている。
【００３５】
また、複数の伝熱体２４ａに除湿用冷却水を供給する除湿用冷却水供給手段２５は、除湿用冷却水を各伝熱体２４ａに分配して供給するための分配ノズル５１を備えている。分配ノズル５１は、この実施例では、図８(ａ)，(ｂ)、図９に示すように、分配ノズル５１の基端５１ａ側に配設され、基端５１ａ側から先端５１ｂ側に向かって水平方向に除湿用冷却水を流入させる除湿用冷却水導入部５２と、水平な下端部（下面）５１ｃに、除湿用冷却水の流入方向に沿って所定の間隔をおいて配設され、除湿用冷却水導入部５２から流入する除湿用冷却水を、複数の伝熱体２４ａに向かって流下させる複数（この実施例では３個）の流下口５３（５３ａ，５３ｂ，５３ｃ）とを備えた構成とされている。
【００３６】
なお、３個の流下口５３（５３ａ，５３ｂ，５３ｃ）は、それぞれ、直径が１ｍｍの円形の貫通孔であり、各流下口５３（５３ａ，５３ｂ，５３ｃ）は、それぞれ４．４ｍｍの間隔をおいて、除湿用冷却水の流れ方向（基端５１ａ側から先端５１ｂ側に向かう方向であって水平の方向）に沿って一列に配設されている。    
【００３７】
そして、分配ノズル５１を構成する除湿用冷却水導入部５２は、その垂直方向の断面面積が、分配ノズル５１の垂直方向の断面面積より小さく、かつ、除湿用冷却水導入部５２が分配ノズル５１の基端５１ａ側の端面（基端側端面）から、分配ノズル５１の先端５１ｂ側に向かって突出した突出部５５に形成されている。
【００３８】
そして、この実施例１の食器洗浄乾燥機においては、除湿用冷却水が、食器洗浄乾燥機に水を供給するための給水系統に逆流することを防止するため逆止弁ＣＨが突出部５５となっており、逆止弁ＣＨ（突出部５５）の先端のスリット６２（図１０）から除湿用冷却水が導入されるように構成されている。
また、分配ノズル５１は、図９に示すように、除湿用冷却水導入部５２および突出部５５を兼ねる逆止弁ＣＨとともに、パッキン５４を介してフランジ５６に組み付けられており、このフランジ５６を介して除湿用給水路２６が分配ノズル５１に接続されている。
【００３９】
そして、この実施例の食器洗浄乾燥機において、分配ノズル５１は、除湿用冷却水の流入方向に直交する方向である垂直方向における断面面積が、基端５１ａ側から先端５１ｂ側に向って（すなわち、除湿用冷却水の流入方向に向かって）小さくなるように構成されている。具体的には、図８(ａ)，(ｂ)、図９に示すように、分配ノズル５１の天井面５１ｄを、基端５１ａ側の所定の位置、すなわち、流下口５３のうち最も基端５１ａ側に近い流下口５３ａのほぼ真上となる位置から先端５１ａに向って低くなるようにして、分配ノズル５１の垂直方向の断面面積が、除湿用冷却水の流入方向に向かって漸減するようにしている。
【００４０】
このような構成とすることにより、所定の間隔をおいて配設された３個の流下口５３（５３ａ，５３ｂ，５３ｃ）から順に除湿用冷却水が流下し、分配ノズル５１の下流に向かって除湿用冷却水の流量が徐々に減少することになるが、分配ノズル５１の垂直方向における断面面積が、分配ノズル５１の下流に向かって小さくなるため、除湿用冷却水の水平方向の流速をほぼ一定にすることが可能になり、下流側の各流下口５３からも、ほぼ一定量の除湿用冷却水を流下させることが可能になる。
【００４１】
そして、その結果、３個の流下口５３（５３ａ，５３ｂ，５３ｃ）から、ほぼ均一に除湿用冷却水を流下させて、凝縮部２４を構成する複数（この実施例では５枚のうちの両端の各１枚を除く３枚）の伝熱体２４ａに、大きな偏りなく除湿用冷却水を流下させることが可能になる。なお、５枚の伝熱体２４ａのうちの両端の各１枚には、３個の流下口５３（５３ａ，５３ｂ，５３ｃ）からは除湿用冷却水が直接流下されないが、５枚のうちの両端の各１枚を除く３枚の伝熱体２４ａに流下した除湿用冷却水の飛沫が両端の各１枚を流下することで、より効果的に除湿が行われるものである。
【００４２】
なお、図５、図７などは、凝縮部２４およびその周囲の構成を示しているが、伝熱体２４ａの枚数や分配ノズル５１の流下口５３の数に関しては、あくまでも模式的なものであり、この実施例の食器洗浄乾燥機における伝熱体２４ａおよび流下口５３の数は、上述の通り、伝熱体２４ａが５枚、流下口５３が３個である。ただし、伝熱体２４ａの枚数や分配ノズル５１の流下口５３の数はこれに限られるものではなく、具体的な伝熱体の形状や配設態様、あるいは流下口の配設態様などを考慮して、両者の配設数を定めることが望ましい。
【００４３】
この実施例の食器洗浄乾燥機は、さらに、図７に示すように、分配ノズル５１に除湿用冷却水を供給する除湿用給水路２６、除湿用給水路２６を開閉する除湿用冷却水断続弁２７、および、給水圧安定用のガバナ２８を備えている。ガバナ２８は給水圧を安定化させて、除湿用冷却水供給手段２５の分配ノズル５１に供給される水の流量をほぼ一定（実施例では０．１５リッター／分）に維持することができるように構成されている。
【００４４】
次に、この実施例の食器洗浄乾燥機の通風経路Ｆにおける空気の流れについて説明する。図５および図６に示すように、循環ファン（通風手段）２３が作動すると、吸引用開口２３Ａから空気が吸引され、洗浄空間Ｑ内部の空気がケーシング１５の横側壁部１５ａと仕切り壁４０とにより区画された上昇経路部分ｆ１を通り上方に向けて流動する。そして、循環ファン２３の吐き出し部２３Ｂから吐き出された空気が、下降経路部分ｆ２を通して下方に向けて流動して空気供給口２１から洗浄空間Ｑ内に供給される。
【００４５】
そして、この実施例の食器洗浄乾燥機においては、上昇経路部分ｆ１が複数（この実施例では５枚）の伝熱体２４ａによって仕切られてスリット状分割経路となり、上昇経路部分ｆ１を通過する空気は各スリット状分割経路を通過する。
【００４６】
各スリット状分割経路を通過する、水分を多量に含む空気は、分配ノズル５１の各流下口５３（５３ａ，５３ｂ，５３ｃ）からほぼ均一に流下する除湿用冷却水により効率よく冷却された各伝熱体２４ａおよびその表面を流下する除湿用冷却水と接触して冷却され、空気中の水分が凝縮して分離される。
【００４７】
なお、各流下口５３（５３ａ，５３ｂ，５３ｃ）から流下した除湿用冷却水は、凝縮した水分とともに、空気吸引口２２を経て洗浄槽Ｄに戻り、水貯留用凹部Ｓに貯留される。
【００４８】
そして、電気式のヒータ９を作動させた状態で、循環ファン（通風手段）２３を作動させて洗浄空間Ｑからの空気を吸引し、通風経路Ｆを経て通風させるとともに、分配ノズル５１の流下口５３（５３ａ，５３ｂ，５３ｃ）から除湿用冷却水を流下させることにより、除湿部Ｇで洗浄空間Ｑから吸引した空気の除湿を行い、除湿後の空気を乾燥用の空気として洗浄空間Ｑに循環供給し、その供給された空気をヒータ９で加熱することにより、洗浄空間Ｑ内の洗浄対象物を乾燥する乾燥運転が行われる。
【００４９】
また、ヒータ９を停止した状態で、洗浄空間Ｑ内の空気を通風経路Ｆを通して通風させ、除湿部Ｇにおいて、分配ノズル５１の流下口５３（５３ａ，５３ｂ，５３ｃ）から流下する除湿用冷却水に接触させることにより、空気中に含まれる例えばアンモニアやトリメチルアミンなどの臭気成分を除湿用冷却水に吸収させて除去することにより、循環空気の消臭が行われるように構成されている。
【００５０】
なお、洗浄空間Ｑから吸引した空気中の臭気成分を除湿部Ｇにて除湿用冷却水に吸収させて分離した後、洗浄空間Ｑに供給することにより、洗浄空間Ｑの消臭も行われることになる。
【００５１】
また、この食器洗浄乾燥機の場合、図７に示すように、引出し部２には、運転を制御する制御手段としての制御部Ｈが装備されており、この制御部Ｈが、操作部ＳＳにおいて入力される指令に基づいて、給水弁４ａ、兼用ポンプ６、ヒータ９、循環ファン（通風手段）２３、および、除湿用冷却水断続弁２７の動作を制御して、洗浄槽Ｄの内部の洗浄空間Ｑの洗浄対象物を洗浄液（湯水）による洗浄処理を行う洗浄運転、洗浄槽Ｄの水貯留用凹部Ｓに貯留されかつヒータ９にて加熱されるすすぎ水による洗浄対象物のすすぎ処理を行うすすぎ運転、洗浄槽Ｄの水貯留用凹部Ｓに貯留されたすすぎ水を排水処理する排水運転、ヒータ９を加熱作用させた状態で循環ファン２３による通風および除湿用冷却水供給手段２５の分配ノズル５１からの除湿用冷却水の供給（流下）を行って空気の乾燥処理を行う乾燥運転、および、ヒータ９を停止させた状態で循環ファン２３による通風および除湿用冷却水供給手段２５における分配ノズル５１からの除湿用冷却水の供給（流下）を行って空気の消臭処理を行う消臭運転などの運転を行う。すなわち、制御部Ｈは、乾燥処理において、洗浄空間Ｑの空気を除湿しながら循環させるべく、循環ファン２３および除湿部Ｇの作動を制御するように構成されている。
【００５２】
また、この実施例の食器洗浄乾燥機は、使用者が、操作部ＳＳにより、洗浄運転、すすぎ運転、排水運転、乾燥運転、消臭運転の順に運転させる連続運転コースや、乾燥運転のみ運転させる乾燥のみコースなど各種の運転コースを選択できるように構成されており、さらに、連続運転コースとして、標準運転コース、念入り運転コース、快速運転コース、低温運転コースが備えられている。
【００５３】
以下、制御部Ｈの制御動作について説明する。
まず、図外の収納スイッチにより、引出し部２が本体部１の収納位置に収納されることが検出され、操作部ＳＳの電源スイッチがＯＮ操作されると、運転コースの選択が行われる。
【００５４】
操作部ＳＳのスタートスイッチがＯＮ操作されると、標準運転コースが開始し、洗浄運転、すすぎ運転、排水運転、乾燥運転、消臭運転、排水運転が順次実行される。
【００５５】
洗浄運転では、給水弁４ａを開弁して給水路４を通して洗浄槽Ｄ内に洗浄水を給水し、その水位が水位センサＪにて設定水位に達したことが検出されると、給水弁４ａを閉じる給水動作を行い、その後、兼用ポンプ６を正転作動させ、かつヒータ９を作動させて、洗浄水を洗浄ノズル８から洗浄対象物に向けて噴出する洗浄動作を、洗浄運転用設定時間が経過するまで行い、次に、兼用ポンプ６を逆転作動させ、洗浄槽Ｄ内の洗浄水を排水する排水動作を行う。
【００５６】
また、すすぎ運転では、上述の洗浄運転における給水動作と同様の給水動作を行って、洗浄槽Ｄの底部にすすぎ水を設定水位貯留させ、その後、兼用ポンプ６を正転作動させて洗浄対象物にむけて設定時間が経過するまで洗浄ノズル８からすすぎ水を噴出するすすぎ水噴出動作、および、兼用ポンプ６を逆転作動させて洗浄槽Ｄの底部に貯留されたすすぎ水を排水する排水動作を順次行うすすぎ動作を２回行い、最後に加熱すすぎ動作を行う。
【００５７】
加熱すすぎ動作では、上述の給水動作により、洗浄槽Ｄの底部にすすぎ水を設定水位貯留させた後、兼用ポンプ６およびヒータ９を作動させ、ヒータ９で加熱されたすすぎ水により洗浄対象物のすすぎを行う。そして、図外の温度センサにより、すすぎ水の温度が仕上げ用設定温度（例えば、６７℃）になると、加熱すすぎ動作を終了する。
【００５８】
排水運転では、兼用ポンプ６を逆転作動させて、洗浄槽Ｄの底部に貯留されたすすぎ水を排水する排水動作を、水位センサＪにて洗浄槽Ｄの底部に貯留されたすすぎ水が排出されたことが検出されるまで行う。
【００５９】
乾燥運転では、ヒータ９を加熱作用させた状態で、循環ファン２３による通風動作および除湿用冷却水供給手段２５の分配ノズル５１からの除湿用冷却水の供給動作を行わせ、その状態を乾燥用設定時間（例えば、２５分）が経過するまで継続させる。
【００６０】
なお、除湿用冷却水供給手段２５の分配ノズル５１からの除湿用冷却水の供給は、除湿用冷却水断続弁２７を開弁し、除湿用給水路２６を経て分配ノズル５１に水を供給し、分配ノズル５１の流下口５３（５３ａ，５３ｂ，５３ｃ）から除湿用冷却水を流下させることにより行う。このとき、給水圧安定用のガバナ２８により、除湿用冷却水の流量がほぼ一定（実施例では０．１５リッター／分）に維持される。
【００６１】
分配ノズル５１の流下口５３（５３ａ，５３ｂ，５３ｃ）から供給（流下）される除湿用冷却水は、通風経路Ｆにおける上昇経路部分ｆ１を経て流下し、ケーシング１５の内面にて案内されて水貯留用凹部Ｓに貯留される。
【００６２】
そして、貯留される除湿用冷却水によってヒータ９が浸漬することがないように、設定時間が経過する毎に、または、水位センサＪにて水貯留用凹部Ｓの水位が排水用設定水位であることが検出されたときに、兼用ポンプ６を逆転作動させて除湿用冷却水を外部に排出させる排水処理を実行するように構成されている。
【００６３】
乾燥運転を開始して乾燥用設定時間が経過すると、ヒータ９の加熱、循環ファン２３による通風を停止し、除湿用冷却水断続弁２７を閉弁して分配ノズル５１への水の供給を停止して分配ノズル５１からの除湿用冷却水の流下を停止させる。
【００６４】
消臭運転では、ヒータ９を停止させた状態で、循環ファン２３による通風動作および除湿用冷却水供給手段２５の分配ノズル５１からの除湿用冷却水の供給動作を行わせ、その状態を消臭用設定時間が経過するまで維持する。この消臭運転においても上述の乾燥運転の場合と同様に、設定時間が経過する毎に、または、水位センサＪにて水貯留用凹部Ｓの水位が排水用設定水位であることが検出されたときに、兼用ポンプ６を逆転作動させて、分配ノズル５１から噴出されて水貯留用凹部Ｓに貯留される除湿用冷却水を外部に排出させる排水処理を実行するように構成されている。
【００６５】
消臭運転を開始してから消臭用設定時間が経過すると、循環ファン２３による通風動作および除湿用冷却水供給手段２５の分配ノズル５１からの除湿用冷却水の供給動作を停止して消臭運転を終了する。
【００６６】
そして、消臭運転が終了した後に、排水運転を実行する。この排水運転は、兼用ポンプ６を逆転作動させて水貯留用凹部Ｓに貯留されている除湿用冷却水を排出させる排水動作を、水位センサＪにて、貯留されている除湿用冷却水が排水されたことが検出されるまで行う。
【００６７】
なお、上記洗浄運転および上記すすぎ運転において給水動作を実行するときには、除湿用冷却水断続弁２７を開弁し、除湿用給水路２６を経て分配ノズル５１に水が供給されるようにする処理も併せて行うようにしている。このように、水を無駄にしない状態で除湿部Ｇに除湿用給水路２６から水を供給して、除湿部Ｇをできるだけ清潔な状態に保つように構成されている。
【００６８】
上でも説明したが、ここで、本発明の実施例にかかる食器洗浄乾燥機の特徴的な構成（すなわち、本発明に係わる特徴的な構成）と、かかる構成に基づく特徴的な動作および作用効果について説明する。
【００６９】
上述のように、この実施例１の食器洗浄乾燥機においては、除湿用冷却水供給手段２５を構成する分配ノズル５１は、図８(ａ)，(ｂ)に示すように、分配ノズル５１の基端５１ａ側に配設され、先端５１ｂ側に向かって水平方向に除湿用冷却水を流入させる除湿用冷却水導入部５２と、水平な下端部５１ｃに除湿用冷却水の流入方向に沿って所定の間隔をおいて配設され、除湿用冷却水を複数の伝熱体２４ａに向かって流下させる流下口５３（５３ａ，５３ｂ，５３ｃ）とを備えている。
【００７０】
また、分配ノズル５１の天井面５１ｄは、基端５１ａ側の所定の位置、すなわち、流下口５３のうち最も基端５１ａ側に近い流下口５３ａのほぼ真上となる位置から先端５１ｂに向って低くなり（下り傾斜を有し）、分配ノズル５１の垂直方向の断面面積が先端５１ｂに向かって小さくなるように構成されている。
【００７１】
さらに、除湿用冷却水導入部５２は、その垂直方向の断面面積が、分配ノズル５１の垂直方向の断面面積より小さく、かつ、除湿用冷却水導入部５２が分配ノズル５１の基端５１ａ側の端面（基端側端面）の中央領域から、分配ノズル５１の先端５１ａ側に向かって突出した突出部５５に形成されている。具体的には、分配ノズル５１の流下口５３から除湿用冷却水が、食器洗浄乾燥機に水を供給するための給水系統に逆流することを防止するために配設された逆止弁ＣＨが突出部５５を構成しており、逆止弁ＣＨの先端が分配ノズル５１の除湿用冷却水導入部５２とされている。
【００７２】
なお、逆支弁ＣＨは、図９、図１０に示すように、弁本体６１がシリコンゴムからなり、中空で、基部から先端部に向かって先すぼまりで扁平となり、先端に幅０．５ｍｍで、長さ７ｍｍのスリット６２が設けられた構造を有しており、図８(ａ)，(ｂ)に示すように、分配ノズル５１の基端５１ａ側に突出するように配設されている。そして、この逆止弁ＣＨを介して除湿用冷却水が分配ノズル５１に供給される場合には、除湿用冷却水が開いた状態に保たれたスリット６２を経て分配ノズル５１に供給され、また、分配ノズル５１内において逆止弁ＣＨの先端部側から元部側に向けて水が逆流しようとした場合には、スリット６２が閉じることにより水の逆流が防止されるように構成されている。
【００７３】
この実施例の食器洗浄乾燥機では、分配ノズル５１の天井面５１ｄに先端に向かって下りとなる傾斜を設けているので、分配ノズル５１内に空気が溜まっている状態で、逆止弁ＣＨの先端側のスリット６２から分配ノズル５１に供給される除湿用冷却水は傾斜した天井面５１ｄに当たり、下流側に向かって順に分配ノズル５１の内部が除湿用冷却水で満たされて行くことになるため、分配ノズル５１内に溜まっている空気空気は上流側の流下口５３ａから下流側の流下口５３ｂ，５３ｃの順に徐々に流出して行くことになる。その結果、空気溜まりを生じにくくして、除湿用冷却水を流下口５３（５３ａ，５３ｂ，５３ｃ）から安定して流下させることが可能になる。
【００７４】
また、分配ノズル５１の垂直方向の断面面積が、基端５１ａの所定の位置から先端５１ｂに向かって小さくなるように構成されているので、除湿用冷却水が流下口５３（５３ａ，５３ｂ，５３ｃ）から順次流下しても、除湿用冷却水導入部５２から分配ノズル５１の先端５１ｂに向かう各位置における除湿用冷却水の流速に大きな変動がなく、この点でも、流下口５３（５３ａ，５３ｂ，５３ｃ）から除湿用冷却水を安定して流下させることが可能になる。
【００７５】
また、除湿用冷却水導入部５２は、その垂直方向の断面面積が、分配ノズル５１の垂直方向の断面面積より小さく、かつ、分配ノズル５１の基端５１ａ側の端面（基端側端面）の中央領域から、分配ノズル５１の先端５１ｂ側に向かって突出した突出部５５（すなわち逆止弁ＣＨの先端部）に形成されているため、除湿用冷却水の供給前から分配ノズル５１に空気が充満していたり、ある程度の量の空気が溜まっていたりした場合にも、除湿用冷却水導入部５２から供給される除湿用冷却水により、空気が排出されやすくなり、除湿用冷却水を分配ノズル５１の流下口５３（５３ａ，５３ｂ，５３ｃ）から安定して供給して、除湿用冷却水の使用量を極力抑えつつ、通風経路Ｆを経て循環される空気の除湿を効率よく行うことが可能になる。
【００７６】
また、分配ノズル内に少量の空気が残った場合や、途中で少量の空気が分配ノズル５１内に流入した場合には、図８(ｂ)に示すように、空気が分配ノズル５１の基端５１ａ側の上部に溜まることになるが、この場合、除湿用冷却水の各流下口５３（５３ａ，５３ｂ，５３ｃ）からの流下状態は、上述の基端５１ａ側の上部に溜まった空気の影響を受けることがほとんどないため、除湿用冷却水を各流下口５３（５３ａ，５３ｂ，５３ｃ）から大きな偏りなく均一に流下させることができる。なお、分配ノズル５１の基端５１ａ側の上部に溜まる空気の量が多くなった場合には、最初から多量の空気溜まりがある場合と同様に、ある程度以上の空気は効率よく排出されるため、特に問題になるようなことはない。
したがって、上記実施例の食器洗浄乾燥機によれば、除湿用冷却水の使用量を極力抑えつつ、通風経路Ｆを経て循環される空気の除湿を効率よく行うことが可能になる。
【００７７】
また、上述のような態様で逆止弁ＣＨを設けていることから、食器洗浄乾燥機への給水系統において断水が生じた場合にも、分配ノズル５１や除湿用給水路２６内の水が給水系統に逆流することがなく、給水系統を汚染することがなく清浄に保つことができる。
【００７８】
なお、上記実施形態では、逆止弁ＣＨを分配ノズル５１内に配設するようにしているが、分配ノズル５１内ではない位置、例えば、除湿用給水路２６内の所定の位置に配設するようにしてもよい。
【００７９】
また、上記実施例では、分配ノズルの流下口の数を３個とし、伝熱体の数を５枚とした場合を例にとって説明したが、流下口および伝熱体の数に制約はなく、本発明の効果を得ることが可能な範囲において、その数を任意に決定することができる。
【００８０】
なお、上記実施例では、通風手段として、送風用の羽根と該羽根を囲繞するケーシングとを備えた送風機（シロッコファン）を用い、シロッコファンを構成するファンケースの内部が水滞留部となる場合を例にとって説明したが、例えば、通風経路の途中にプロペラを配置した軸流ファンにより通風手段を構成すること、すなわち、通風手段がファンケースを備えていない構成とすることも可能であり、このような構成とした場合、通風経路がファンケースと同様の機能を果たすとともに、排水機構としても機能することになり、結露水などの滞留による悪影響を回避することができる。
【００８１】
ただし、上記のように通風手段がファンケースを備えていない構成とした場合、送風用の羽根と該羽根を囲繞するファンケースを具備する送風機（シロッコファンなど）により通風手段を構成した場合に比べて静圧が小さく、除湿部における通風抵抗を大きくすると十分な通風量を得ることが困難になり、乾燥性能が低下するおそれがあることから、通常は、上記実施例１で示した、送風用の羽根と該羽根を囲繞するファンケースとを備えたシロッコファンなどの送風機を用いることが望ましい。
【００８２】
本発明はさらにその他の点においても上記の実施の形態に限定されるものではなく、本発明の範囲内において種々の変形を加えることが可能である。
【符号の説明】
【００８３】
１          本体部
２          引出部
３          内蓋部
４          給水路
４ａ        給水弁
６          兼用ポンプ
８          洗浄ノズル
９          電気式のヒータ
１０        洗浄かご
１１        吸引管
１２        排水管
１３        案内管
１４        漏水受止め用のドレンパン
１５        ケーシング
１５ａ      横側壁部
１５Ａ      前部側分割ケーシング部分
１５Ｂ      後部側分割ケーシング部分
２１        空気供給口
２２        空気吸引口
２３        循環ファン（通風手段）
２３Ａ      循環ファンの吸引用開口
２３Ｂ      循環ファンの吐き出し部
２４        凝縮部
２４ａ      伝熱体
２５        除湿用冷却水供給手段
２６        除湿用給水路
２７        除湿用冷却水断続弁
２８        給水圧安定用のガバナ
３０        保持部材  
３５        ファンケース
３５ａ      水抜き孔
３６        傾斜（排出経路）
３７        水滞留部
３８        羽根（羽根車）
４０        仕切り壁
５１        分配ノズル
５１ａ      分配ノズルの基端
５１ｂ      分配ノズルの先端
５１ｃ      分配ノズルの水平な下端部（下面）
５１ｄ      分配ノズル５１の天井面
５２        除湿用冷却水導入部
５３（５３ａ，５３ｂ，５３ｃ）    流下口
５４        パッキン
５５        突出部
５６        フランジ
６１        弁本体
６２        スリット
Ａ          扉体
Ｂ          把持部
ＣＨ        逆止弁
Ｄ          洗浄槽
Ｄｆ        前側壁部
Ｆ          通風経路
ｆ１        上昇経路部分
ｆ２        下降経路部分
Ｇ          除湿部
Ｈ          制御部
Ｊ          水位センサ
Ｋ          乾燥ユニット
Ｐ          係合手段
Ｐａ        係止部
Ｑ          洗浄空間
Ｓ          水貯留用凹部
ＳＳ        操作部
【図１】
0005615678.tif 000002
【図２】
0005615678.tif 000003
【図３】
0005615678.tif 000004
【図４】
0005615678.tif 000005
【図５】
0005615678.tif 000006
【図６】
0005615678.tif 000007
【図７】
0005615678.tif 000008
【図８】
0005615678.tif 000009
【図９】
0005615678.tif 000010
【図１０】
0005615678.tif 000011
【図１１】
0005615678.tif 000012